(57)【特許請求の範囲】
【請求項１】
断面が角状あるいは偏平状のペン先チップと、ペン先チップを保持する先金具と、インキ溜部に取り付けられ先端に孔が設けられた先栓を有し、前記先金具が前記先栓の孔内に装着された塗布具において、ペン先チップは先金具に挿入され、先金具のペン先チップ挿入部分がかしめられて保持され、先金具のかしめ部は、ペン先チップの周面の少なくとも一つと接し、且つ先金具のかしめ部は、当該面と隣合う面との境界部分を境に曲がって略コの字形にペン先チップの角近傍に沿っており、先金具のかしめ部は他の部分から突出して先栓の孔の一部と回転不能に係合していることを特徴とする塗布具。
【請求項２】
断面が略長方形のペン先チップと、ペン先チップを保持する先金具と、インキ溜部に取り付けられ先端に孔が設けられた先栓を有し、前記先金具が前記先栓の孔内に装着された塗布具において、ペン先チップは先金具に挿入され、先金具のペン先チップ挿入部分がかしめられて保持され、先金具のかしめ部では、先金具の内面は、ペン先チップの二つの長辺および一つの長辺の両端の角近傍に略コの字形に沿っており、さらに先金具のかしめ部は他の部分から突出して先栓の孔の一部と回転不能に係合していることを特徴とする塗布具。
【請求項３】
先金具は先栓の孔内に摺動可能に装着され、インキ溜部にはその開口を常時閉鎖する弁が取り付けられており、該弁は先金具の摺動と連動し、インキ溜部の開口を開放することを特徴とする請求項１又は２のいずれかに記載の塗布具。
【請求項４】
断面が角状あるいは偏平状のペン先チップと、インキ溜部からインキを導き出すコアとを接合する構造であって、ペン先チップとコアとは筒形の先金具に挿入され、先金具のペン先チップ挿入部分がかしめられて成り、先金具のかしめ部はペン先チップの周面の少なくとも一つと接し、且つ先金具のかしめ部は当該面と隣合う面との境界部分を境に曲がって略コの字形にペン先チップの角近傍に沿っていることを特徴とする塗布具のチップとコアとの接合構造。
【請求項５】
筒形の先金具の一方の開口から、断面が角状あるいは偏平状のペン先チップを挿入し、前記先金具の他方の開口にはコアを挿入し、先金具のペン先チップ挿入部分に、ペン先チップの側面形状に略一致する凹部を有する押し型を押圧装置によって押圧し、先金具をかしめることを特徴とする塗布具のチップとコアとの接合方法。
【請求項６】
断面が略長方形のペン先チップと、インキ溜部からインキを導き出すコアとを接合する構造であって、ペン先チップとコアとは筒形の先金具に挿入され、先金具のペン先チップ挿入部分がかしめられて保持され、先金具のかしめ部では、先金具の内面は、ペン先チップの二つの長辺および一つの長辺の両端の角近傍に略コの字形に沿っており、さらに先金具のかしめ部は他の部分から突出して先栓の孔の一部と回転不能に係合していることを特徴とする塗布具のチップとコアとの接合構造。
【発明の詳細な説明】
【０００１】
【産業上の利用分野】
本発明は、ペン先となるペン先チップを有する塗布具、およびそのペン先チップとコアとの接合構造に関するものであり、特に断面形状が角状あるいは偏平なペン先チップを有する塗布具に関するものである。
【０００２】
【従来の技術】
旧来のフェルトペンに変わるものとして、近年樹脂製のペン先チップをペン先とする塗布具が普及しつつある。またこの種の塗布具において、比較的高粘度のインキを使用する場合には、弁を内蔵する構成が採用される場合が多い。
【０００３】
以下に、樹脂製のチップをペン先とし、弁を内蔵した従来技術の塗布具について説明する。図１０は、従来技術の塗布具の要部の分解斜視図である。図１０において、１００はペン先となるチップである。ペン先チップ１００は樹脂で作られたものであり、細い円柱状をしている。即ち従来技術においては、この種の塗布具のペン先チップは専ら円柱状であってそれ以外の形状のものは提案されていない。
【０００４】
そしてペン先チップ１００の後端部には、コア１０１が取り付けられている。ここでコア１０１は、インキ溜めからペン先チップに円滑にインキを導く作用をする部材であり、多孔質体や繊維束を素材として、円柱状に成形されたものである。上記したペン先チップ１００とコア１０１は、先金具と称される金具１０２で結合されている。従来技術の先金具１０２は、内径の異なる２つの部分が連続する筒状の部材である。即ち従来技術で採用される先金具１０２は、小径部１０３と大径部１０５を持つ。そして小径部１０３の内径はペン先チップ１００の外径に等しく、大径部１０５の内径はコア１０１の外径に等しい。従来技術で用いられていた先金具１０２は、切削加工によって上記した小径部１０３と大径部１０５を有する形状に予め成形されていた。そしてペン先チップ１００とコア１０１は、それぞれ先金具１０２の小径部１０３と大径部１０５に挿入されることによって結合されていた。
【０００５】
このようにして一体化されたペン先チップ１００とコア１０１は、塗布具の先栓１０６の孔１０８内に摺動可能に挿入される。ここで先栓１０６は図示しないインキ溜部の先端に取り付けられたものであり、先端の孔１０８は図示しないインキ溜部の内部と連通する。またインキ溜部内には図示しない弁が内蔵されている。
【０００６】
従来技術の塗布具を用いて字や絵を書く際には、予めペン先チップ１００を紙面等に押しつける。するとペン先チップ１００は先金具１０２が孔１０８内を摺動することによって、孔１０８内に沈む。その結果ペン先チップ１００の後端に取り付けられたコア１０１が図示しない弁の弁体を押し、弁を開いてインキ溜部の開口を開く。するとインキ溜部からインキが流れ出し、コア１０１を通じてペン先チップ１００に導かれる。
【０００７】
【発明が解決しようとする課題】
従来技術の塗布具に採用されていたペン先チップは、前記したように円柱形状であった。そのため、従来技術の塗布具は文字や線図を描く場合には申し分の無い機能を果たすものであった。しかしながら従来技術の塗布具は太い線を引いたり、一定の範囲を塗りつぶす様な用途に使用する場合には、はなはだ使い勝手の悪いものであった。そこで本発明者らは、ペン先チップを有する塗布具を、太い線を描く用途に適する構成への改良を試みた。具体的にはペン先チップの形状を従来技術の円柱形状から断面が偏平なものに変更した。しかしながら、ペン先チップの形状を断面が偏平な形状に変更すると、従来技術には全く存在しなかった新たな問題に直面した。
【０００８】
即ち、弁を内蔵する塗布具では、弁を開放するために、ペン先チップを押しつける必要がある。ところが断面形状が偏平のペン先チップを採用すると、ペン先チップを押しつける時に、ペン先チップに回転モーメントが発生し、ペン先チップが回転してしまう。
また線を書く際にも、使用者の筆圧によってペン先チップが回転してしまうことがある。そのため従来技術の塗布具では、太い線を引いている最中に、突然ペン先チップが回転し、線が細くなってしまう問題があった。
【０００９】
そしてこの問題は、特に本塗布具をカリグラフに利用する場合に致命的な問題となるものであった。ここでカリグラフとは、人間の手を使って文字を描くデザインの手法である。カリグラフの代表的な方法は、先端が偏平な筆等を手に持ち、その筆をいろいろな向きに傾けたり、反転して線の太さに変化を持たせつつ文字を描く。
【００１０】
ところが、本出願人らが試みに、断面形状が偏平のペン先チップを備えた塗布具を用いてカリグラフを行ったところ、線の太さに変化をつけるために塗布具を傾けて文字を描いていると、予期しないところでペン先チップが回転してしまい、意のままの太さの線を描くことができなかった。そのため断面形状が偏平のペン先チップを備えた塗布具は、とてもカリグラフの使用に耐えるものではなかった。
そこで本出願人は、先に先金具の一部を先栓と係合させ、ペン先チップの回転を阻止する構成を開示した（特願平５−３５２１０９号、実願平５−２７８５４号）。
【００１１】
本出願人が先に開示した構成は、図１１の様にペン先チップ１１０を円筒状の先金具１１２に挿入し、先金具のペン先チップ挿入部分をＸ方向にかしめることによって先金具１１２の一部を幅方向に広げ、当該部分を先栓１１５に係合させるものである。
本出願人が先に開示した方策によって、筆記中にペン先チップ１１０が回転する不具合は解消された。
しかしながら、上述の構成では、筆記中にペン先チップ１１０がぐらついて不安定となることがあった。すなわち上述の構成によると、ペン先チップは厚さ方向にだけ押さえつけられて先金具１１２に保持されたものであり、ペン先チップ１１０は厚さ方向には、先金具と当接して移動が阻止されるものの、ペン先チップ１１０の幅方向にはかしめによってできた空所１１６がある。そのためペン先チップ１１０は図１１の矢印Ｙ方向の力に対して弱く、筆記中にぐらついてしまうのであった。
【００１２】
本発明は、従来技術の上記した問題点に着目し、ペン先チップの断面形状を偏平にすることによって太い線を描くことが可能であり、かつ文字や絵を描いている最中にペン先チップが回転しない塗布具を提供することを目的とする。
また併せて本発明は、筆記中にペン先チップがぐらつかない塗布具を提供することを目的とする。
【００１３】
【課題を解決するための手段】
そして、上記した目的を達成するための本発明は、断面が角状あるいは偏平状のペン先チップと、ペン先チップを保持する先金具と、インキ溜部に取り付けられ先端に孔が設けられた先栓を有し、前記先金具が前記先栓の孔内に装着された塗布具において、ペン先チップは先金具に挿入され、先金具のペン先チップ挿入部分がかしめられて保持され、先金具のかしめ部は、ペン先チップの周面の少なくとも一つと接し、且つ先金具のかしめ部は、当該面と隣合う面との境界部分を境に曲がって略コの字形にペン先チップの角近傍に沿っており、先金具のかしめ部は他の部分から突出して先栓の孔の一部と回転不能に係合していることを特徴とする塗布具である。
【００１４】
また上記した発明と同様の目的を達成するもう一つの発明は、断面が略長方形のペン先チップと、ペン先チップを保持する先金具と、インキ溜部に取り付けられ先端に孔が設けられた先栓を有し、前記先金具が前記先栓の孔内に装着された塗布具において、ペン先チップは先金具に挿入され、先金具のペン先チップ挿入部分がかしめられて保持され、先金具のかしめ部では、先金具の内面は、ペン先チップの二つの長辺および一つの長辺の両端の角近傍に略コの字形に沿っており、さらに先金具のかしめ部は他の部分から突出して先栓の孔の一部と回転不能に係合していることを特徴とする塗布具である。
【００１５】
そして上述の２つの発明を改良した発明は、先金具は先栓の孔内に摺動可能に装着され、インキ溜部にはその開口を常時閉鎖する弁が取り付けられており、該弁は先金具の摺動と連動し、インキ溜部の開口を開放することを特徴とする。
【００１６】
さらに同様の目的を達成するもう一つの発明は、断面が角状あるいは偏平状のペン先チップと、インキ溜部からインキを導き出すコアとを接合する構造であって、ペン先チップとコアとは筒形の先金具に挿入され、先金具のペン先チップ挿入部分がかしめられて成り、先金具のかしめ部はペン先チップの周面の少なくとも一つと接し、且つ先金具のかしめ部は当該面と隣合う面との境界部分を境に曲がって略コの字形にペン先チップの角近傍に沿っていることを特徴とする塗布具のチップとコアとの接合構造である。
【００１７】
上記した接合構造を製造する方法の発明は、筒形の先金具の一方の開口から、断面が角状あるいは偏平状のペン先チップを挿入し、前記先金具の他方の開口にはコアを挿入し、先金具のペン先チップ挿入部分に、ペン先チップの側面形状に略一致する凹部を有する押し型を押圧装置によって押圧し、先金具をかしめることを特徴とする塗布具のチップとコアとの接合方法である。
【００１８】
さらに同様の目的を達成する発明は、断面が略長方形のペン先チップと、インキ溜部からインキを導き出すコアとを接合する構造であって、ペン先チップとコアとは筒形の先金具に挿入され、先金具のペン先チップ挿入部分がかしめられて保持され、先金具のかしめ部では、先金具の内面は、ペン先チップの二つの長辺および一つの長辺の両端の角近傍に略コの字形に沿っており、さらに先金具のかしめ部は他の部分から突出して先栓の孔の一部と回転不能に係合していることを特徴とする塗布具のチップとコアとの接合構造である。
【００１９】
【作用】
請求項１記載の発明の塗布具は、断面形状が偏平なペン先チップを有し、このペン先チップがペン先として機能する。従って使用者が本発明の塗布具のペン先チップを紙等に押し当てて塗布具を走らせると、紙等には最大でペン先チップの幅に相当する太さの線が描かれる。また請求項１記載の発明の塗布具は先金具に係合部が設けられ、該係合部が先栓の孔の一部と回転不能に係合しているので、筆記中に塗布具を傾けたり、反転を加えてもペン先チップが回転する事はない。加えて本発明の塗布具では、かしめ部は、ペン先チップの周面の少なくとも一つと接し、且つ先金具のかしめ部は、当該面と隣合う面との境界部分を境に曲がって略コの字形にペン先チップの角近傍に沿っている。そのためペン先チップは、３か所以上で先金具に保持され、横方向へのがたつきやずれは阻止される。
さらに本発明の塗布具は、先金具が先栓の孔の一部と係合するものであるため、ペン先チップに係る回転力は、先栓で負担される。そのためペン先チップに無理な力がかかることは無い。
【００２０】
請求項２記載の塗布具の作用は、前述の請求項１記載の塗布具と略同様であり、先金具の内面は、ペン先チップの二つの長辺および一つの長辺の両端の角近傍で接し、ペン先チップの横方向へのがたつきやずれは阻止される。
【００２１】
請求項３記載の塗布具では、インキ溜部にその開口を常時閉鎖する弁が取り付けられているため、ペン先チップに過度にインキが供給されたり、インキが乾燥してしまうことは少ない。そして使用者が請求項３記載の塗布具を利用して文字や線を描く時は、ペン先チップに筆圧を加えてペン先チップを押す。すると、ペン先チップを保持する先金具は先栓の孔内に摺動可能に装着されているので、先金具は先栓の孔内に沈む。そして先金具の摺動と連動して弁が開きインキ溜部の開口が開放されて、新たなインキがペン先チップに供給される。
【００２２】
請求項４，６記載のペン先チップとコアとの接合構造では、ペン先チップとコア、および先金具は別々に成形され、ペン先チップとコアとを先金具に挿入した後、先金具をかしめることによってペン先チップとコアとを接合することができる。
そしてペン先チップがたつきやずれは阻止される。
【００２３】
請求項５記載のペン先チップとコアとの接合方法は、ペン先チップの側面形状に略一致する凹部を有する押し型を押圧して先金具をかしめるものであり、押し型に押されて先金具は変形し、上述のペン先チップとコアとの接合構造が容易に製造される。
【００２４】
【実施例】
以下更に本発明の具体的実施例について説明する。図１は、本発明の具体的実施例における塗布具の断面図である。図２は、図１の塗布具の要部の分解斜視図であり、（ａ）はペン先部の製造工程を示し、（ｂ）は塗布具の先端部を示す。図３は、図１の先端部分の拡大図である。図４は、図３の側面断面図である。図５は、図４のＡ方向矢視図である。
【００２５】
図１において、１は本発明の具体的実施例の塗布具である。本実施例の塗布具１は、大きく分けてインキ溜部２と先栓３およびペン先部５によって構成される。順次説明すると、インキ溜部２は従来技術のそれと大差なく、アルミニウム、ステンレススチール、合成樹脂、ガラス等によって成形された容器であって、端部が開口し、内部に弁６が内蔵されている。弁６は、樹脂で作られたものであり、弁座８と弁枠９および弁本体１０によって構成される。ここで弁座８はインキ溜部２の内外を連通する弁孔１３を有する部材である。弁枠９は、インキ溜部２の開口部分に装着された枠状の部材であり、周囲に図示しない開口が設けられていて、弁枠９内には自由にインキが出入りすることができる。また弁枠９の底部にはガイド孔１５が設けられている。
【００２６】
弁本体１０は中央部が太く、先端に当接棒１７が設けられ、後端にガイド棒１８が形成されている。
【００２７】
弁６は、弁座８と弁枠９によって弁体挿入空間が形成され、該空間内に弁本体１０が配置されて成る。また弁本体１０の当接棒１７は弁座８の弁孔１３から外部に突出し、一方ガイド棒１８は弁枠９のガイド孔１５に挿入されている。また弁本体１０はバネ１２によって常時弁座８に向かって付勢されている。従って弁座８の弁孔１３は、常時は弁本体１０によって塞がれている。また一方弁本体１０のガイド棒１８をインキ溜部２内に向かって押圧すると、弁本体１０はばね１２に抗して移動し、弁本体１０が弁座８を離れて弁孔１３が開放される。
【００２８】
先栓３は弁本体１０の蓋に相当する部材であり、先端に貫通孔１９が設けられている。そして先栓３の構成で特記しておくべき構成は、貫通孔１９の内部に突条２０が設けられている点である。突条２０は断面が半円状であり、貫通孔１９の軸方向の全域に渡って形成されている。また突条２０は同じ形のものが、貫通孔１９内面の円周方向に、等間隔に４個設けられている。そして４個の突条２０の先端の内接円は、後記するペン先部５を構成する先金具２３の大部分２７の直径よりも僅かに大きい。
【００２９】
ペン先部５は、本発明の最も特徴的な部分であり詳細に説明する。本実施例の塗布具１ではペン先部５は、ペン先チップ２１とコア２２および先金具２３から構成される。
【００３０】
ペン先チップ２１は、ポリアセタール樹脂等によって作られたものであり、断面が長方形の偏平な形状をしている。ペン先チップ２１は、軸方向に微小な貫通孔或いは貫通溝を有するものであり、これらの微小な貫通孔等によって後端と先端が連通し、先端からインキがにじみ出される。
【００３１】
コア２２は多孔質の樹脂あるいは繊維束を素材として棒状に成形されたものである。
【００３２】
先金具２３はステンレススチールの引き抜き成形によって作られた筒であり、前記したペン先チップ２１とコア２２が両端から挿入され、両者を一体に結合するものである。先金具２３の内径は、前記したコア２２の外径にほぼ等しいものであり、コア２２は先金具２３に圧入することによって先金具２３に結合されている。これに対して、ペン先チップ２１の先金具２３への固定手段はかしめ構造が採用されている。即ち、本実施例で採用するペン先部５では、いずれの位置の断面も等しい円形である先金具２３を利用し、先金具２３にペン先チップ２１を挿入し、先金具２３をかしめることによってペン先チップ２１を固定する。
【００３３】
先金具のかしめ方法は、図２（ａ）に示す様に押し型２６を双方から押しつけることによって行うことが望ましい。
押し型２６には、ペン先チップ２１の側面形状に略一致する凹部３２が設けられている。押し型２６は、図示しない押圧装置によって先金具２３の先端部に押しつけられる。
【００３４】
本実施例の塗布具１ではペン先チップ２１と先金具２３との結合は、先金具２３の先端をかしめることによって行われているので、先金具２３の大部分２７の断面は円形であるが、ペン先チップ２１との結合部分となるかしめ部２４だけは、偏平に潰された形をしている。より具体的に説明すると、かしめ部２４は、図５に示す様にペン先チップ２１の長辺側側面３４では、ペン先チップ２１に密着している。そして先金具２３は、ペン先チップ２１の長辺側側面３４の端部、すなわち長辺側側面３４との境界部分で短辺側側面３５に向かって曲がり、略コの字形にペン先チップ２１の角近傍に沿っている。そのため先金具２３のかしめ部２４では、ペン先チップ２１の２つの長辺側側面３４のそれぞれにおいて、長辺側側面３４を挟む２つの角及びこの角の近傍が押さえられ、先金具２３は長辺側側面３４のみならず短辺側側面３５とも接し、ペン先チップ２１をがたつかない様に保持している。
【００３５】
またさらに先金具２３のかしめ部２４は、幅方向に張り出している。
従ってかしめ部２４は、ペン先チップ２１の幅方向には、ペン先チップ２１の幅よりも相当に大きく、先金具２３の他の大部分２７よりも突出した形状になっている。そしてこの突出した部分が係合部２５として機能する。
【００３６】
本実施例の塗布具１の組み立て構造は、インキ溜部２の先端に先栓３が装着され、更に先栓３の貫通孔１９内にペン先部５が挿入されて、コア２２が弁本体１０のガイド棒１７に当接したものである。そして先金具２３の大部分２７の外径は、先栓３の貫通孔１９の内面にある突条２０の内接円よりも僅かに小さいので、ペン先部５は先栓３の貫通孔１９内を軸方向に摺動することができる。
【００３７】
またここで重要な点は、先金具２３のかしめ部２４にある係合部２５は、他の大部分２７より外側に突出しているため、該係合部２５は、先栓３の突条２０間に係合する。従って先金具２３の回転は阻止される。その結果、ペン先部５は先栓３の貫通孔１９内を摺動可能であるが、回転することはない。
【００３８】
次に本実施例の塗布具１の作用について説明する。本実施例の塗布具１を用いて例えばカリグラフを行う場合は、筆圧をもってペン先チップ２１を紙等に押し当てる。するとペン先部５は係合部２５が突条２０に係合し、回転する事なく真っ直ぐに先栓３の貫通孔１９内に沈み、コア２２が弁本体１０のガイド棒１７を押して、インキ溜部２の弁孔１３を開放させる。そしてインキ溜部２内からインキが流れ出し、コア２２に吸収される。尚コア２２の周囲にリング状の連続気泡体よりなるインキ吸蔵体を設け、余分なインキを吸収させてもよい。コア２２にインキが吸収された結果、コア２２を通じてペン先チップ２１にインキが供給されて紙に線が描かれる。尚インキ溜部２内からインキが流れ出す際、突条２０の間の隙間２８および、ペン先チップ２１と先金具２３との間の隙間２９は通気孔として作用するため、インキの流出は円滑である。
【００３９】
そして使用者が塗布具１を傾け、或いは反転すると、ペン先チップ２１に回転モーメントが発生する。しかしながら、本実施例の塗布具１では、先金具２３のかしめ部２４に係合部２５が設けられており、この係合部２５が先栓３の貫通孔１９の突条２０と係合しているので、ペン先チップ２１の回転モーメントは当該係合部２５で負担され、ペン先チップ２１が回転することはない。
加えて本実施例の塗布具１では、ペン先チップ２１の４つの角及びこの４つの角の近傍と２つの長辺側側面３４はしっかりと先金具２３に保持されており、ペン先チップ２１ががたつく事もない。
そのため、ペン先チップ２１は使用者の思うままに傾き、或いは反転し、自由自在に線径を変化させることができる。
【００４０】
また、ペン先チップ２１は、使用者の塗布具操作に応じて反転するとともに先栓３の貫通孔１９を出入りするが、本実施例の塗布具１ではこれらのペン先チップ２１の挙動によって、ペン先チップ２１自身が傷付くことはない。即ち、本実施例の塗布具１では、ペン先部５の軸方向の摺動面および、回転モーメントの負担部分は、いずれも先金具２３で行われる。そのためペン先チップ２１自身には強い力はかからず、ペン先チップ２１は保護される。
【００４１】
以上述べた実施例では、かしめ部２４の詳細な構成は、図５に示すように、先金具２３がペン先チップ２１に対して長辺側側面３４には密着し、ペン先チップ２１の長辺側側面３４の境界部分から短辺側側面３５に曲がっていて、４つの角及びこの４つの角の近傍を保持し、さらに短辺側側面３５の中央で横方向に張り出した構成を開示したが、勿論本発明はこの構成にこだわるものではない。
すなわち、ペン先チップ２１のがたつきを防止するためには、先金具２３のかしめ部２４はペン先チップ２１の周面の少なくとも一つと接し、且つ先金具２３のかしめ部２４は当該面と隣合う面との境界部分を境に曲がって略コの字形にペン先チップ２１の角近傍に沿っておれば良い。また特に断面が長方形のペン先チップ２１を採用する場合には、先金具２３のかしめ部は、ペン先チップ２１の長辺を挟む２つの角に略コの字形に接しておれば、ペン先チップ２１の横方向のがたつきは阻止できる。
【００４２】
具体的には、図６の様にペン先チップ２１の一方の長辺側だけで、ペン先チップ２１の長辺を挟む２つの角及びこの２つの角の近傍を保持し、他方の長辺側は、先金具２３の当接面が平坦であるものでも良い。
本実施例では、ペン先チップの二つの長辺は双方とも先金具２３の内面と接しているが、角の部位（角及び角近傍）は、一つの長辺の両端だけが先金具２３の内面と接し、他方の長辺の両端の角は先金具２３の内面に接していない。そしてその接していない方の部位は、横方向に突出していて係合部２５を構成している。
尚、図６の様な、一方の長辺側だけでペン先チップ２１の２つの角近傍を保持する構成にかしめるには、図７の様にペン先チップ２１の側面形状に略一致する凹部３２が設けられた押し型２６の上に先金具２３を置き、上から平坦な押し板３７で押圧することによって、容易に行うことができる。
【００４３】
以上説明した筆記具は、いずれもペン先チップ２１とコア２２を備えるものを前提として説明したが、本発明の構成は、コアを省略した筆記具にも採用可能である。コアを省略した場合の構成を、図８，９を参照しつつ説明する。
【００４４】
尚以下に説明する実施例については、図１乃至図７で説明した筆記具と同一の部品については同一の番号を付し、詳細な説明を省略する。
図８，９は、本発明の具体的実施例における筆記具の要部の分解斜視図であり、（ａ）はペン先部の製造工程を示し、（ｂ）は塗布具の先端部を示す。また図１２は、本発明の変形実施例における筆記具の要部の分解斜視図であり、（ａ）はペン先部の製造工程を示し、（ｂ）は塗布具の先端部を示す。
図８の塗布具５０では、ペン先５１は、ペン先チップ５２と先金具２３から構成される。
ここでペン先チップ５２は、先の実施例のそれと、材質および性質は全く同一であり、長さだけが異なるものである。即ち本実施例で採用するペン先チップ５２は、先の実施例のそれよりも長い。
【００４５】
先金具２３は、先の実施例と全く同一の部材であり、具体的には黄銅製の筒である。
本実施例で採用するペン先部５１では、ペン先チップ５２が先金具２３内に挿入されており、ペン先チップ５２の両端は、いずれも先金具２３から突出している。
そして先金具２３の一方の端部はかしめられており、ペン先チップ５２が固定されていると共に、かしめ部２４によって係合部２５が形成されている。
本実施例の塗布具５０では、先の実施例と同様にペン先部５１が、先栓３の貫通孔１９内に挿入される。そして本実施例の塗布具５０では、ペン先チップ５２の後端側が直接弁本体１０のガイド棒１７に当接している。
またペン先部５１は、先の実施例と同様に、貫通孔１９内を摺動すると共に、係合部２５が突条２０と嵌合してペン先部５１の回転は防止され、ペン先チップ５２ががたつくこともない。
加えて本実施例の塗布具５０においてもペン先チップ５２の座屈を防止する効果やペン先チップ５２の貫通孔を潰さない効果がある。
【００４６】
本実施例の塗布具５０では、ペン先部５１の構成上、先金具２３の一方の端部だけにかしめ部２４を設け、ペン先チップ５２を固定すると共に、先金具２３の一方の端部だけに係合部２５を形成させた。
しかしながら、本発明は、このように先金具２３の端部だけをかしめる方策の他、図９のペン先部６０の様に先金具２３の全長に渡ってかしめる方策の採用も可能である。
先金具２３の全長に渡ってかしめる場合は、先の実施例で採用した押し型２６よりもより長い押し型６１を、先金具２３の双方から押しつけることによって行うことが望ましい。
【００４７】
先栓の孔の断面形状は、先金具の形状に応じて随時変更することが可能ではあるが、先栓の孔の断面形状は、４つの突条が設けられた構成が最も推奨される。この理由は、４つの突条２０が設けられた構成は、４つの突条２０の先端によって先金具の円柱状の部分が保持されるため、係合部が存在しない従来技術の先金具でも軸方向に慴動可能に挿入することができる。そのため本実施例で採用する先栓３は、従来技術のところで説明した断面が円状のペン先チップを有する塗布具と互換性を持たせることができる効果がある。
【００４８】
本実施例では、本発明の効果が最も顕著であるものとして断面が長方形のペン先チップを有する塗布具を例示した。しかし正方形や６角形あるいは８角形等の角形のペン先チップについてもペン先チップが回転することによって線径が変化するので、本発明の適応の余地があることは言うまでもない。
【００４９】
【発明の効果】
本発明の塗布具は断面形状が角状あるいは偏平状のペン先チップを有し、このペン先チップからインキをにじみ出させるものであるため、太い線を描くことができる効果があり、広い範囲を塗りつぶす場合の作業性が良い効果がある。
【００５０】
また本発明の塗布具は先金具に係合部が設けられ、該係合部が先栓の孔の一部と回転不能に係合しているので、筆記中に塗布具を傾けたり反転しても、ペン先チップが回転する事はない。加えて請求項１記載の塗布具では、ペン先チップの周面の少なくとも一つと接し、且つ先金具のかしめ部は、当該面と隣合う面との境界部分を境に曲がって略コの字形にペン先チップの角近傍に沿っているので、ペン先チップはガタツキが少ない状態で保持されている。また請求項２の構成では、先金具のかしめ部は、ペン先チップの長辺を構成する２つの角及びこの２つの角の近傍と接しているので、ペン先チップはガタツキが少ない状態で保持されている。そのため本発明の塗布具は全体を傾けたり、反転することによって自由自在に線径を変化させることができる効果があり、カリグラフの新たな画材として採用することができる効果がある。さらに本発明の塗布具はペン先チップに係る回転力が、先栓で負担されるのでペン先チップに無理な力がかかることは無く、いつまでも滑らかな書き味を維持することができる効果がある。
【００５１】
請求項３記載の塗布具では、インキ溜部にその開口を常時閉鎖する弁が取り付けられているため、ペン先チップに過度にインキが供給されたり、インキが乾燥してしまうことが少ない効果がある。
【００５２】
請求項４，６記載の塗布具のペン先チップとコアとの接合構造は、少ない種類の先金具で多数の種類のペン先チップを取り付けることができるため、部品の互換性の向上を図ることができる効果がある。
【図面の簡単な説明】
【図１】本発明の具体的実施例における塗布具の断面図である。
【図２】図１の塗布具の要部の分解斜視図である。
【図３】図１の先端部分の拡大図である。
【図４】図３の側面断面図である。
【図５】図４のＡ方向矢視図である。
【図６】本発明の変形実施例のペン先チップおよび先金具の平面図である。
【図７】先金具のかしめ方法を示す説明図である。
【図８】本発明の他の変形実施例の塗布具の要部の分解斜視図である。
【図９】本発明の他の変形実施例の塗布具の要部の分解斜視図である。
【図１０】従来技術の塗布具の要部の分解斜視図である。
【図１１】従来技術の塗布具の要部の分解斜視図である。
【符号の説明】
１  塗布具
２  インキ溜部
３  先栓
５  ペン先部
１９  貫通孔
２０  突条
２１  ペン先チップ
２２  コア
２３  先金具
２４  かしめ部
２５  係合部
【図１】
0003605865.tif 000002
【図２】
0003605865.tif 000003
【図３】
0003605865.tif 000004
【図４】
0003605865.tif 000005
【図５】
0003605865.tif 000006
【図６】
0003605865.tif 000007
【図７】
0003605865.tif 000008
【図８】
0003605865.tif 000009
【図９】
0003605865.tif 000010
【図１０】
0003605865.tif 000011
【図１１】
0003605865.tif 000012